(57)【要約】【課題】ノイズ除去効果をより一層向上させることが可能なノイズフィルタ及びノイズフィルタの実装構造を提供すること。【解決手段】ノイズフィルタＦは、素体１と、素体１の外表面に形成された第１〜第６の端子電極１１〜１６とを備える。素体１は、積層された複数の絶縁体層と、信号側内部電極及び接地側内部電極とを有する。信号側内部電極と接地側内部電極とは、絶縁体層を挟んで対向するように配されている。素体１の第１の主面２には、２つの接続導体４１，４３が形成されている。接続導体４１は、第１の端子電極１１と第２の端子電極１２とを電気的に接続している。接続導体４３は、第５の端子電極１５と第６の端子電極１６とを電気的に接続している。２つの接続導体４１，４３は、フェライトを含有した樹脂５１により覆われている。【選択図】図１
2007221472.tif 000002
【特許請求の範囲】
【請求項１】
素体と、前記素体の外表面に形成された第１〜第４の端子電極と、を備え、
前記素体内には、前記第１及び第２の端子電極と、前記第３及び第４の端子電極との間に電気的に接続されるコンデンサが形成されており、
前記第１及び第２の端子電極が、前記外表面に形成された接続導体を通して電気的に接続され、
前記接続導体が、フェライトを含有した樹脂により覆われていることを特徴とするノイズフィルタ。
【請求項２】
前記素体が、積層された複数の絶縁体層と、前記絶縁体層を挟んで対向するように配された信号側内部電極及び接地側内部電極と、を有しており、
前記信号側内部電極が、前記外表面まで引き出される一対の信号側引き出し部を含み、前記一対の信号側引き出し部が、それぞれ、前記第１及び第２の端子電極に電気的に接続され、
前記接地側内部電極が、前記外表面まで引き出される一対の接地側引き出し部を含み、前記一対の接地側引き出し部が、それぞれ、前記第３及び第４の端子電極に電気的に接続され、
前記信号側内部電極と前記接地側内部電極とにより前記コンデンサが形成されることを特徴とする請求項１に記載のノイズフィルタ。
【請求項３】
第５及び第６の端子電極を更に備え、
前記素体が、前記絶縁体層を挟んで前記接地側内部電極に対向するように配された新たな信号側内部電極を更に有し、
前記新たな信号側内部電極が、前記外表面まで引き出される一対の信号側引き出し部を含み、前記一対の信号側引き出し部が、それぞれ、前記第５及び第６の端子電極に電気的に接続され、
前記新たな信号側内部電極と前記接地側内部電極とによりコンデンサが形成され、
前記第５及び第６の端子電極が、前記外表面に形成された接続導体を通して電気的に接続されており、該接続導体が、フェライトを含有した樹脂により覆われていることを特徴とする請求項２に記載のノイズフィルタ。
【請求項４】
前記信号側内部電極と前記新たな信号側内部電極とが、同一面内に配されていることを特徴とする請求項３に記載のノイズフィルタ。
【請求項５】
前記素体が、積層された複数の絶縁体層と、前記絶縁体層を挟んで対向するように配された接地側内部電極及び一対の信号側内部電極と、を有しており、
前記一対の信号側内部電極のうち一方の信号側内部電極が、前記外表面まで引き出される信号側引き出し部を含み、該信号側引き出し部が、前記第１の端子電極に電気的に接続され、
前記一対の信号側内部電極のうち他方の信号側内部電極が、前記外表面まで引き出される信号側引き出し部を含み、該信号側引き出し部が、前記第２の端子電極に電気的に接続され、
前記接地側内部電極が、前記外表面まで引き出される一対の接地側引き出し部を含み、前記一対の接地側引き出し部が、それぞれ、前記第３及び第４の端子電極に電気的に接続され、
前記一対の信号側内部電極と前記接地側内部電極とにより前記コンデンサが形成されることを特徴とする請求項１に記載のノイズフィルタ。
【請求項６】
前記一対の信号側内部電極が、同一面内に配されていることを特徴とする請求項５に記載のノイズフィルタ。
【請求項７】
第５及び第６の端子電極を更に備え、
前記素体が、前記絶縁体層を挟んで前記接地側内部電極に対向するように配された新たな一対の信号側内部電極を更に有し、
前記新たな一対の信号側内部電極のうち一方の信号側内部電極が、前記外表面まで引き出される信号側引き出し部を含み、該信号側引き出し部が、前記第５の端子電極に電気的に接続され、
前記新たな一対の信号側内部電極のうち他方の信号側内部電極が、前記外表面まで引き出される信号側引き出し部を含み、該信号側引き出し部が、前記第６の端子電極に電気的に接続され、
前記新たな一対の信号側内部電極と前記接地側内部電極とによりコンデンサが形成され、
前記第５及び第６の端子電極が、前記外表面に形成された接続導体を通して電気的に接続されており、該接続導体が、フェライトを含有した樹脂により覆われていることを特徴とする請求項５に記載のノイズフィルタ。
【請求項８】
前記新たな一対の信号側内部電極が、同一面内に配されていることを特徴とする請求項７に記載のノイズフィルタ。
【請求項９】
前記一対の信号側内部電極と前記新たな一対の信号側内部電極とが、同一面内に配されていることを特徴とする請求項７に記載のノイズフィルタ。
【請求項１０】
前記接続導体が、前記第１及び第２の端子電極よりも幅狭に形成されていることを特徴とする請求項１〜請求項９のいずれか一項に記載のノイズフィルタ。
【請求項１１】
前記接続導体が、ミアンダ形状を呈していることを特徴とする請求項１〜請求項９のいずれか一項に記載のノイズフィルタ。
【請求項１２】
請求項１に記載されたノイズフィルタと、
実装面に接地電極と少なくとも２つの信号電極とが形成された回路基板と、を備え、
前記ノイズフィルタの前記第１及び第２の端子電極が、それぞれ前記少なくとも２つの信号電極のうち異なる信号電極に接続され、
前記ノイズフィルタの前記第３及び第４の端子電極が、それぞれ前記接地電極に接続されていることを特徴とするノイズフィルタの実装構造。
【発明の詳細な説明】
【技術分野】
【０００１】
本発明は、ノイズフィルタ及びノイズフィルタの実装構造に関する。
【背景技術】
【０００２】
電源や信号等の配線を介したノイズの漏洩や侵入を防止するためのノイズフィルタとして、三端子コンデンサや貫通コンデンサ等が用いられることがある。貫通コンデンサとしては、信号側内部電極と接地側内部電極とが絶縁体層を介して積層された積層型貫通コンデンサが知られている（例えば、特許文献１参照）。
【特許文献１】特開昭５５−４３８６９号公報
【発明の開示】
【発明が解決しようとする課題】
【０００３】
しかしながら、三端子コンデンサや貫通コンデンサ（例えば、特許文献１に記載された積層型貫通コンデンサ）では、未だノイズ除去効果が不十分である。
【０００４】
本発明は、ノイズ除去効果をより一層向上させることが可能なノイズフィルタ及びノイズフィルタの実装構造を提供することを課題とする。
【課題を解決するための手段】
【０００５】
本発明に係るノイズフィルタは、素体と、素体の外表面に形成された第１〜第４の端子電極と、を備え、素体内には、第１及び第２の端子電極と、第３及び第４の端子電極との間に電気的に接続されるコンデンサが形成されており、第１及び第２の端子電極が、外表面に形成された接続導体を通して電気的に接続され、接続導体が、フェライトを含有した樹脂により覆われていることを特徴とする。
【０００６】
本発明に係るノイズフィルタでは、第１の端子電極と第２の端子電極とを電気的に接続する接続導体がフェライトを含有した樹脂により覆われているので、接続導体とフェライトを含有した樹脂とがフェライトビーズインダクタとして機能することとなる。これにより、ノイズ除去効果がより一層向上する。
【０００７】
好ましくは、素体が、積層された複数の絶縁体層と、絶縁体層を挟んで対向するように配された信号側内部電極及び接地側内部電極と、を有しており、信号側内部電極が、外表面まで引き出される一対の信号側引き出し部を含み、一対の信号側引き出し部が、それぞれ、第１及び第２の端子電極に電気的に接続され、接地側内部電極が、外表面まで引き出される一対の接地側引き出し部を含み、一対の接地側引き出し部が、それぞれ、第３及び第４の端子電極に電気的に接続され、信号側内部電極と接地側内部電極とによりコンデンサが形成されている。
【０００８】
好ましくは、第５及び第６の端子電極を更に備え、素体が、絶縁体層を挟んで接地側内部電極に対向するように配された新たな信号側内部電極を更に有し、新たな信号側内部電極が、外表面まで引き出される一対の信号側引き出し部を含み、一対の信号側引き出し部が、それぞれ、第５及び第６の端子電極に電気的に接続され、新たな信号側内部電極と接地側内部電極とによりコンデンサが形成され、第５及び第６の端子電極が、外表面に形成された接続導体を通して電気的に接続されており、該接続導体が、フェライトを含有した樹脂により覆われている。この場合、第５の端子電極と第６の端子電極とを電気的に接続する接続導体がフェライトを含有した樹脂により覆われているので、当該接続導体及びフェライトを含有した樹脂がフェライトビーズインダクタとして機能することとなる。これにより、ノイズフィルタを第５及び第６の端子電極と当該第５及び第６の端子電極に電気的に接続される信号側内部電極を備える構成であっても、ノイズ除去効果をより一層向上することができる。
【０００９】
好ましくは、信号側内部電極と新たな信号側内部電極とが、同一面内に配されている。この場合、内部電極の層数が少なくなるため、ノイズフィルタの低背化を図ることができる。
【００１０】
好ましくは、素体が、積層された複数の絶縁体層と、絶縁体層を挟んで対向するように配された接地側内部電極及び一対の信号側内部電極と、を有しており、一対の信号側内部電極のうち一方の信号側内部電極が、外表面まで引き出される信号側引き出し部を含み、該信号側引き出し部が、第１の端子電極に電気的に接続され、一対の信号側内部電極のうち他方の信号側内部電極が、外表面まで引き出される信号側引き出し部を含み、該信号側引き出し部が、第２の端子電極に電気的に接続され、接地側内部電極が、外表面まで引き出される一対の接地側引き出し部を含み、一対の接地側引き出し部が、それぞれ、第３及び第４の端子電極に電気的に接続され、一対の信号側内部電極と接地側内部電極とによりコンデンサが形成されている。
【００１１】
好ましくは、一対の信号側内部電極が、同一面内に配されている。この場合、内部電極の層数が少なくなるため、ノイズフィルタの低背化を図ることができる。
【００１２】
好ましくは、第５及び第６の端子電極を更に備え、素体が、絶縁体層を挟んで接地側内部電極に対向するように配された新たな一対の信号側内部電極を更に有し、新たな一対の信号側内部電極のうち一方の信号側内部電極が、外表面まで引き出される信号側引き出し部を含み、該信号側引き出し部が、第５の端子電極に電気的に接続され、新たな一対の信号側内部電極のうち他方の信号側内部電極が、外表面まで引き出される信号側引き出し部を含み、該信号側引き出し部が、第６の端子電極に電気的に接続され、新たな一対の信号側内部電極と接地側内部電極とによりコンデンサが形成され、第５及び第６の端子電極が、外表面に形成された接続導体を通して電気的に接続されており、該接続導体が、フェライトを含有した樹脂により覆われている。この場合、第５の端子電極と第６の端子電極とを電気的に接続する接続導体がフェライトを含有した樹脂により覆われているので、当該接続導体及びフェライトを含有した樹脂がフェライトビーズインダクタとして機能することとなる。これにより、ノイズフィルタを第５及び第６の端子電極と当該第５及び第６の端子電極に電気的に接続される信号側内部電極を備える構成であっても、ノイズ除去効果をより一層向上することができる。
【００１３】
好ましくは、新たな一対の信号側内部電極が、同一面内に配されている。この場合、内部電極の層数が少なくなるため、ノイズフィルタの低背化を図ることができる。
【００１４】
好ましくは、一対の信号側内部電極と新たな一対の信号側内部電極とが、同一面内に配されている。この場合、内部電極の層数が少なくなるため、ノイズフィルタの低背化をより一層図ることができる。
【００１５】
好ましくは、接続導体が、第１及び第２の端子電極よりも幅狭に形成されている。
【００１６】
好ましくは、接続導体が、ミアンダ形状を呈している。
【００１７】
本発明に係るノイズフィルタの実装構造は、上記ノイズフィルタと、実装面に接地電極と少なくとも２つの信号電極とが形成された回路基板と、を備え、ノイズフィルタの第１及び第２の端子電極が、それぞれ少なくとも２つの信号電極のうち異なる信号電極に接続され、ノイズフィルタの第３及び第４の端子電極が、それぞれ接地電極に接続されていることを特徴とする。
【００１８】
本発明に係るノイズフィルタの実装構造では、実装されるノイズフィルタにおいて、第１の端子電極と第２の端子電極とを電気的に接続する接続導体がフェライトを含有した樹脂により覆われているので、接続導体とフェライトを含有した樹脂とがフェライトビーズインダクタとして機能することとなる。これにより、ノイズ除去効果がより一層向上する。
【発明の効果】
【００１９】
本発明によれば、ノイズ除去効果をより一層向上させることが可能なノイズフィルタ及びノイズフィルタの実装構造を提供することができる。
【発明を実施するための最良の形態】
【００２０】
以下、添付図面を参照して、本発明の好適な実施形態について詳細に説明する。なお、説明において、同一要素又は同一機能を有する要素には、同一符号を用いることとし、重複する説明は省略する。
【００２１】
図１〜図３を参照して、本実施形態に係るノイズフィルタＦの構成について説明する。図１は、本実施形態に係るノイズフィルタの斜視図である。図２は、本実施形態に係るノイズフィルタに含まれる素体の分解斜視図である。図３は、本実施形態に係るノイズフィルタの断面構成を説明するための模式図である。
【００２２】
ノイズフィルタＦは、図１に示すように、略直方体形状をした素体１と、素体１の外表面に形成された第１〜第６の端子電極１１〜１６とを備える。素体１は、相対向する第１及び第２の主面２，３と、相対向する第１及び第２の端面４，５と、相対向する第１および第２の側面６，７とを含んでいる。第１及び第２の端面４，５と第１及び第２の側面６，７とは、第１の主面２と第２の主面３との間を連結するように伸びている。
【００２３】
素体１の第１の側面６には、第１の端子電極１１、第３の端子電極１３、及び第５の端子電極１５が形成されている。第１の端子電極１１及び第５の端子電極１５は第１の側面６の端部に位置しており、第３の端子電極１３は第１の側面６の中央部に位置している。素体１の第２の側面７には、第２の端子電極１２、第４の端子電極１４、及び第６の端子電極１６が形成されている。第２の端子電極１２及び第６の端子電極１６は第２の側面７の端部に位置しており、第４の端子電極１４は第２の側面７の中央部に位置している。第１及び第２の端子電極１１，１２と第５及び第６の端子電極１５，１６とは信号側端子電極として機能し、第３及び第４の端子電極１３，１４は接地側端子電極として機能する。
【００２４】
第１〜第６の端子電極１１〜１６は、例えば、導電性金属粉末及びガラスフリットを含む導電性ペーストを素体１の外表面の付与し、焼き付けることによって形成される。必要に応じて、焼き付けられた電極の上にめっき層が形成されることもある。
【００２５】
素体１は、図２に示されるように、積層された複数の絶縁体層２１と、信号側内部電極２３，２５及び接地側内部電極２７と、を有している。各絶縁体層２１は、第１及び第２の主面２，３に平行な方向に伸びている。素体１では、第１の主面２と第２の主面３とが対向する方向は、複数の絶縁体層２１の積層方向とされる。信号側内部電極２３と接地側内部電極２７とは、絶縁体層２１を挟んで対向するように配されている。信号側内部電極２５と接地側内部電極２７とは、絶縁体層２１を挟んで対向するように配されている。
【００２６】
各絶縁体層２１は、たとえば誘電体セラミックを含むセラミックグリーンシートの焼結体から構成される。実際のノイズフィルタＦでは、各絶縁体層２１は、絶縁体層２１の間の境界が視認できない程度に一体化されている。各内部電極２３〜２７は、導電性ペーストの焼結体から構成される。
【００２７】
信号側内部電極２３は、一対の信号用引き出し部２３ａ，２３ｂを含んでいる。信号側引き出し部２３ａは、第１の側面６まで引き出されており、第１の端子電極１１に電気的且つ物理的に接続されている。信号側引き出し部２３ｂは、第２の側面７まで引き出されており、第２の端子電極１２に電気的且つ物理的に接続されている。信号側内部電極２３は、第１の側面６から第２の側面７にわたって素体１を貫通すると共に、第１の端子電極１１と第２の端子電極１２とに電気的に接続されることとなる。
【００２８】
信号側内部電極２５は、一対の信号用引き出し部２５ａ，２５ｂを含んでいる。信号側引き出し部２５ａは、第１の側面６まで引き出されており、第５の端子電極１５に電気的且つ物理的に接続されている。信号側引き出し部２５ｂは、第２の側面７まで引き出されており、第６の端子電極１６に電気的且つ物理的に接続されている。信号側内部電極２５は、第１の側面６から第２の側面７にわたって素体１を貫通すると共に、第５の端子電極１５と第６の端子電極１６とに電気的に接続されることとなる。
【００２９】
接地側内部電極２７は、一対の接地側引き出し部２７ａ，２７ｂを含んでいる。接地側引き出し部２７ａは、第１の側面６まで引き出されており、第３の端子電極１３に電気的且つ物理的に接続されている。接地側引き出し部２７ｂは、第２の側面７まで引き出されており、第４の端子電極１４に電気的且つ物理的に接続されている。接地側内部電極２７は、第１の側面６から第２の側面７にわたって素体１を貫通すると共に、第３の端子電極１３と第４の端子電極１４とに電気的に接続されることとなる。
【００３０】
素体１の第１の主面２には、図３にも示されるように、２つの接続導体４１，４３が形成されている。接続導体４１は、第１の端子電極１１と第２の端子電極１２とを電気的に接続している。接続導体４１は、第１の主面２上を第１の側面６と第２の側面７とが対向する方向に伸びており、第１及び第２の端子電極１１，１２よりも幅狭とされている。接続導体４３は、第５の端子電極１５と第６の端子電極１６とを電気的に接続している。接続導体４３は、第１の主面２上を第１の側面６と第２の側面７とが対向する方向に伸びており、第５及び第６の端子電極１５，１６よりも幅狭とされている。ここで、「幅」なる用語は、第１の端面４と第２の端面５とが対向する方向での長さを意味している。
【００３１】
接続導体４１，４３は、第１〜第６の端子電極１１〜１６と同様に、例えば、導電性金属粉末及びガラスフリットを含む導電性ペーストを素体１の外表面の付与し、焼き付けることによって形成される。必要に応じて、焼き付けられた電極の上にめっき層が形成されることもある。接続導体４１，４３は、第１〜第６の端子電極１１〜１６と一体的に形成されていてもよい。
【００３２】
２つの接続導体４１，４３は、フェライト（例えば、粉末状のフェライト等）を含有した樹脂５１により覆われている。樹脂５１は、接続導体４１，４３を覆うように第１の主面２に付与した後に硬化させることにより、形成される。樹脂５１は、電気絶縁性を有していることが好ましく、例えば、エポキシ樹脂、フェノール樹脂、エポキシフェノール樹脂等を用いることができる。
【００３３】
上述したように構成されたノイズフィルタＦでは、図４に示されるように、一対のコンデンサＣ１，Ｃ２と、フェライトビーズインダクタＦＢ１，ＦＢ２とが形成される。図４は、本実施形態に係るノイズフィルタの等価回路図である。コンデンサＣ１は、信号側内部電極２３と接地側内部電極２７とで構成される。コンデンサＣ２は、信号側内部電極２５と接地側内部電極２７とで構成される。フェライトビーズインダクタＦＢ１は、接続導体４１とフェライトを含有した樹脂５１とで構成される。フェライトビーズインダクタＦＢ２は、接続導体４３とフェライトを含有した樹脂５１とで構成される。
【００３４】
以上のように、本実施形態によれば、第１の端子電極１１と第２の端子電極１２とを電気的に接続する接続導体４１とフェライトを含有した樹脂５１とがフェライトビーズインダクタＦＢ１として機能すると共に、第５の端子電極１５と第６の端子電極１６とを電気的に接続する接続導体４３とフェライトを含有した樹脂５１とがフェライトビーズインダクタＦＢ２として機能するので、ノイズフィルタＦのノイズ除去効果がより一層向上する。
【００３５】
次に、図５〜図１２を参照して、本実施形態に係るノイズフィルタＦの変形例の構成について説明する。
【００３６】
図５は、本実施形態に係るノイズフィルタの変形例を示す斜視図である。図５に示されたノイズフィルタＦの変形例は、接続導体４１，４３の形状の点で、上述した実施形態と異なる。図５に示されたノイズフィルタＦの変形例では、各接続導体４１，４３がミアンダ形状を呈している。各接続導体４１，４３をミアンダ形状とすることにより、当該接続導体４１，４３の導体長を所望の値に調整することができる。
【００３７】
図６は、本実施形態に係るノイズフィルタの変形例を示す斜視図である。図７は、図６に示されたノイズフィルタの変形例の断面構成を説明するための模式図である。図６及び図７に示されたノイズフィルタＦの変形例は、接続導体４１，４３の位置の点で、上述した実施形態と異なる。図６及び図７に示されたノイズフィルタＦの変形例では、接続導体４１が第１の端面４に形成され、接続導体４３が第２の端面５に形成されている。
【００３８】
接続導体４１は、第１の端面４上を第１の側面６と第２の側面７とが対向する方向に伸びており、第１及び第２の端子電極１１，１２よりも幅狭とされている。接続導体４３は、第２の端面５上を第１の側面６と第２の側面７とが対向する方向に伸びており、第５及び第６の端子電極１５，１６よりも幅狭とされている。ここで、「幅」なる用語は、第１の主面２と第２の主面３とが対向する方向での長さを意味している。フェライトを含有した樹脂５１は、接続導体４１，４３を覆うように各端面４，５に付与した後に硬化させることにより、それぞれ形成される。
【００３９】
図８は、本実施形態に係るノイズフィルタの変形例を示す斜視図である。図８に示されたノイズフィルタＦの変形例は、接続導体４１，４３の形状の点で、図６及び図７に示されたノイズフィルタＦの変形例と異なる。図８に示されたノイズフィルタＦの変形例では、各接続導体４１，４３がミアンダ形状を呈している。各接続導体４１，４３をミアンダ形状とすることにより、当該接続導体４１，４３の導体長を所望の値に調整することができる。
【００４０】
図９は、本実施形態に係るノイズフィルタの変形例を示す斜視図である。図１０は、図９に示されたノイズフィルタの変形例の断面構成を説明するための模式図である。図９及び図１０に示されたノイズフィルタＦの変形例は、接続導体４１，４３の形状の点で、図６及び図７に示されたノイズフィルタＦの変形例と異なる。接続導体４１は、第１及び第２の端子電極１１，１２と幅が同じである。接続導体４３は、第５及び第６の端子電極１５，１６と幅が同じである。
【００４１】
また、図９及び図１０に示されたノイズフィルタＦの変形例では、素体１を図１１〜図１３に示されるように構成してもよい。図１１〜図１３は、本実施形態に係るノイズフィルタに含まれる素体の変形例を示す分解斜視図である。
【００４２】
図１１に示された変形例では、信号側内部電極２３は、信号用引き出し部２３ｃを含んでいる。信号用引き出し部２３ｃは、第１の端面４まで引き出されており、接続導体４１に電気的且つ物理的に接続されている。信号側内部電極２３は、第１の端子電極１１、第２の端子電極１２及び接続導体４１に電気的に接続されることとなる。また、信号側内部電極２５は、信号用引き出し部２５ｃを含んでいる。信号用引き出し部２５ｃは、第１の端面５まで引き出されており、接続導体４３に電気的且つ物理的に接続されている。信号側内部電極２５は、第５の端子電極１５、第６の端子電極１６及び接続導体４３に電気的に接続されることとなる。
【００４３】
図１２に示された変形例では、信号側内部電極２３と信号側内部電極２５とが、同一面内に配されている。これにより、内部電極２３，２５，２７の層数が少なくなるため、ノイズフィルタＦ（素体１）の低背化を図ることができる。
【００４４】
図１３に示された変形例では、信号側内部電極２３は、信号用引き出し部２３ａ，２３ｂを含んでおらず、信号用引き出し部２３ｃを含んでいる。この場合、信号側内部電極２３は、接続導体４１を通して、第１の端子電極１１及び第２の端子電極１２に電気的に接続されることとなる。また、信号側内部電極２５は、信号用引き出し部２５ａ，２５ｂを含んでおらず、信号用引き出し部２５ｃを含んでいる。この場合、信号側内部電極２５は、接続導体４３を通して、第５の端子電極１５及び第６の端子電極１６に電気的に接続されることとなる。
【００４５】
図１４は、本実施形態に係るノイズフィルタに含まれる素体の変形例を示す分解斜視図である。図１４に示された変形例では、素体１は、積層された複数の絶縁体層２１と、信号側内部電極３１〜３７及び接地側内部電極２７と、を有している。各内部電極２７，３１〜３７は、導電性ペーストの焼結体から構成される。各信号側内部電極３１〜３７と接地側内部電極２７とは、絶縁体層２１を挟んで対向するように配されている。
【００４６】
信号側内部電極３１は、信号用引き出し部３１ａを含んでいる。信号側引き出し部３１ａは、第１の側面６まで引き出されており、第１の端子電極１１に電気的且つ物理的に接続されている。信号側内部電極３１は、第１の端子電極１１に電気的に接続されることとなる。信号側内部電極３３は、信号用引き出し部３３ａを含んでいる。信号側引き出し部３３ａは、第２の側面７まで引き出されており、第２の端子電極１２に電気的且つ物理的に接続されている。信号側内部電極３３は、第２の端子電極１２に電気的に接続されることとなる。
【００４７】
信号側内部電極３５は、信号用引き出し部３５ａを含んでいる。信号側引き出し部３５ａは、第１の側面６まで引き出されており、第５の端子電極１５に電気的且つ物理的に接続されている。信号側内部電極３５は、第５の端子電極１５に電気的に接続されることとなる。信号側内部電極３７は、信号用引き出し部３７ａを含んでいる。信号側引き出し部３７ａは、第２の側面７まで引き出されており、第６の端子電極１６に電気的且つ物理的に接続されている。信号側内部電極３７は、第６の端子電極１６に電気的に接続されることとなる。
【００４８】
図１４に示された素体１を備えるノイズフィルタでは、図１５に示されるように、４つのコンデンサＣ１１，Ｃ１２，Ｃ２１，Ｃ２２と、フェライトビーズインダクタＦＢ１，ＦＢ２とが形成される。コンデンサＣ１１は、信号側内部電極３１と当該信号側内部電極３１に対向する接地側内部電極２７とで構成される。コンデンサＣ１２は、信号側内部電極３３と当該信号側内部電極３３と対向する接地側内部電極２７とで構成される。コンデンサＣ２１は、信号側内部電極３５と当該信号側内部電極３５に対向する接地側内部電極２７とで構成される。コンデンサＣ２２は、信号側内部電極３７と当該信号側内部電極３７と対向する接地側内部電極２７とで構成される。
【００４９】
以上のように、図１４に示された変形例においても、ノイズフィルタのノイズ除去効果がより一層向上する。
【００５０】
図１６は、本実施形態に係るノイズフィルタに含まれる素体の変形例を示す分解斜視図である。図１６に示された素体１は、信号側内部電極３１〜３７の位置の点で、図１４に示された素体１と異なる。
【００５１】
信号側内部電極３１と信号側内部電極３３とは、同一面内に配されている。すなわち、信号側内部電極３１と信号側内部電極３３とは、同じ絶縁体層２１上に位置する。信号側内部電極３１と信号側内部電極３３とは、所定の間隔を有した状態で、第１の側面６と第２の側面７とが対向する方向に併置されており、電気的に絶縁されている。
【００５２】
信号側内部電極３５と信号側内部電極３７とは、同一面内に配されている。すなわち、信号側内部電極３５と信号側内部電極３７とは、同じ絶縁体層２１上に位置する。信号側内部電極３５と信号側内部電極３７とは、所定の間隔を有した状態で、第１の側面６と第２の側面７とが対向する方向に併置されており、電気的に絶縁されている。
【００５３】
図１６に示された変形例では、信号側内部電極３１と信号側内部電極３３とが同一面内に配されると共に、信号側内部電極３５と信号側内部電極３７とが同一面内に配されている。このため、内部電極２７，３１〜３７の層数が少なくなるため、ノイズフィルタ（素体１）の低背化を図ることができる。
【００５４】
図１７は、本実施形態に係るノイズフィルタに含まれる素体の変形例を示す分解斜視図である。図１７に示された素体１は、信号側内部電極３１〜３７の位置の点で、図１４に示された素体１と異なる。
【００５５】
各信号側内部電極３１〜３７は、同一面内に配されている。すなわち、各信号側内部電極３１〜３７は、同じ絶縁体層２１上に位置する。各信号側内部電極３１〜３７は、所定の間隔を有した状態で、マトリックス状に併置されており、電気的に絶縁されている。
【００５６】
図１７に示された変形例では、各信号側内部電極３１〜３７が同一面内に配されている。このため、内部電極２７，３１〜３７の層数が更に少なくなるため、ノイズフィルタ（素体１）の低背化をより一層図ることができる。
【００５７】
次に、図１８〜図２０を参照して、本実施形態に係るノイズフィルタの更なる変形例の構成について説明する。図１８は、本実施形態に係るノイズフィルタの変形例の斜視図である。図１９は、本実施形態に係るノイズフィルタの変形例に含まれる素体の分解斜視図である。図２０は、本実施形態に係るノイズフィルタの変形例の断面構成を説明するための模式図である。
【００５８】
変形例に係るノイズフィルタＦは、図１８に示すように、素体１と、素体１の外表面に形成された第１〜第８の端子電極１１〜１８とを備える。素体１の第１の側面６には、第１の端子電極１１、第５の端子電極１５、及び第７の端子電極１７が形成されている。素体１の第２の側面７には、第２の端子電極１２、第６の端子電極１６、及び第８の端子電極１８が形成されている。素体１の第１の端面４には第３の端子電極１３が形成され、素体１の第２の端面５には第４の端子電極１４が形成されている。第１及び第２の端子電極１１，１２と、第５及び第６の端子電極１５，１６と、第７及び第８の端子電極１７，１８と、は信号側端子電極として機能し、第３及び第４の端子電極１３，１４は接地側端子電極として機能する。
【００５９】
素体１は、図１９に示されるように、積層された複数の絶縁体層２１と、信号側内部電極６１〜６６及び接地側内部電極２７と、を有している。各内部電極２７，６１〜６６は、導電性ペーストの焼結体から構成される。各信号側内部電極６１〜６６と接地側内部電極２７とは、絶縁体層２１を挟んで対向するように配されている。各信号側内部電極６１〜６６は、同一面内に配されている。すなわち、各信号側内部電極６１〜６６は、同じ絶縁体層２１上に位置する。各信号側内部電極６１〜６６は、所定の間隔を有した状態で、マトリックス状に併置されており、電気的に絶縁されている。
【００６０】
信号側内部電極６１は、第１の側面６まで引き出されており、第１の端子電極１１に電気的且つ物理的に接続されている。信号側内部電極６２は、第２の側面７まで引き出されており、第２の端子電極１２に電気的且つ物理的に接続されている。信号側内部電極６３は、第１の側面６まで引き出されており、第５の端子電極１５に電気的且つ物理的に接続されている。信号側内部電極６４は、第２の側面７まで引き出されており、第６の端子電極１６に電気的且つ物理的に接続されている。信号側内部電極６５は、第１の側面６まで引き出されており、第７の端子電極１７に電気的且つ物理的に接続されている。信号側内部電極６６は、第２の側面７まで引き出されており、第８の端子電極１８に電気的且つ物理的に接続されている。
【００６１】
接地側内部電極２７は、第１及び第２の端面４，５まで引き出されており、第３及び第４の端子電極１３，１４に電気的且つ物理的に接続されている。接地側内部電極２７は、第１の端面４から第２の端面５にわたって素体１を貫通している。
【００６２】
素体１の第１の主面２には、図２０にも示されるように、３つの接続導体４１〜４５が形成されている。接続導体４１は、第１の端子電極１１と第２の端子電極１２とを電気的に接続している。接続導体４３は、第５の端子電極１５と第６の端子電極１６とを電気的に接続している。接続導体４５は、第７の端子電極１７と第８の端子電極１８とを電気的に接続している。接続導体４５は、第１の主面２上を第１の側面６と第２の側面７とが対向する方向に伸びており、第７及び第８の端子電極１７，１８よりも幅狭とされている。ここで、「幅」なる用語は、第１の端面４と第２の端面５とが対向する方向での長さを意味している。
【００６３】
図１８〜図２０に示されたノイズフィルタＦでは、図２１に示されるように、６つのコンデンサＣ１１，Ｃ１２，Ｃ２１，Ｃ２２，Ｃ３１，Ｃ３２と、３つのフェライトビーズインダクタＦＢ１〜ＦＢ３とが形成される。コンデンサＣ１１は、信号側内部電極６１と接地側内部電極２７とで構成される。コンデンサＣ１２は、信号側内部電極６２と接地側内部電極２７とで構成される。コンデンサＣ２１は、信号側内部電極６３と接地側内部電極２７とで構成される。コンデンサＣ２２は、信号側内部電極６４と接地側内部電極２７とで構成される。コンデンサＣ３１は、信号側内部電極６５と接地側内部電極２７とで構成される。コンデンサＣ３２は、信号側内部電極６６と接地側内部電極２７とで構成される。フェライトビーズインダクタＦＢ１は、接続導体４１とフェライトを含有した樹脂５１とで構成される。フェライトビーズインダクタＦＢ２は、接続導体４３とフェライトを含有した樹脂５１とで構成される。フェライトビーズインダクタＦＢ３は、接続導体４５とフェライトを含有した樹脂５１とで構成される。
【００６４】
以上のように、図１８〜図２０に示された変形例においても、ノイズフィルタＦのノイズ除去効果がより一層向上する。
【００６５】
続いて、図２２及び図２３を参照して、本実施形態に係るノイズフィルタＦの実装構造について説明する。図２２は、本実施形態に係るノイズフィルタの実装構造を示す平面図である。図２３は、本実施形態に係るノイズフィルタの実装構造を示す斜視図である。ここでは、図１〜図３に示されたノイズフィルタＦを実装する例について説明する。ここでの説明は省略するが、図５〜図１７に示された変形例に係るノイズフィルタの実装構造も、図２２及び図２３に示されたノイズフィルタＦの実装構造と同様である。
【００６６】
図２２及び図２３に示されるように、ノイズフィルタＦは、回路基板７１にはんだ付け等の手法により実装されている。回路基板７１の実装面７１ａには、４つの信号電極７２〜７５と、接地電極７６とが形成されている。
【００６７】
ノイズフィルタＦの第１の端子電極１１は、信号電極７２に物理的且つ電気的に接続されている。ノイズフィルタＦの第２の端子電極１３は、信号電極７３に物理的且つ電気的に接続されている。ノイズフィルタＦの第５の端子電極１５は、信号電極７４に物理的且つ電気的に接続されている。ノイズフィルタＦの第６の端子電極１６は、信号電極７５に物理的且つ電気的に接続されている。ノイズフィルタＦの第３及び第４の端子電極１３，１４は、接地電極７６に物理的且つ電気的に接続されている。
【００６８】
回路基板７１に実装されたノイズフィルタＦにおいては、各内部電極２３〜２７で構成されたコンデンサＣ１，Ｃ２、及び、接続導体４１，４３とフェライトを含有した樹脂５１とで構成されたフェライトビーズインダクタＦＢ１，ＦＢ２が、端子電極１１〜１６を通して回路基板７１に形成された電極７２〜７５，７６に電気的に接続されることとなる。これにより、ノイズフィルタＦは、回路基板７１上においてノイズフィルタとしての機能を発揮する。
【００６９】
続いて、図２４を参照して、本実施形態に係るノイズフィルタＦの異なる実装構造について説明する。図２４は、本実施形態に係るノイズフィルタの実装構造を示す斜視図である。ここでは、図１８〜図２０に示されたノイズフィルタＦを実装する例について説明する。
【００７０】
図２４に示されるように、ノイズフィルタＦは、回路基板７１にはんだ付け等の手法により実装されている。回路基板７１の実装面７１ａには、６つの信号電極７２〜７５，７７，７８と、接地電極７６とが形成されている。
【００７１】
ノイズフィルタＦの第１の端子電極１１は、信号電極７２に物理的且つ電気的に接続されている。ノイズフィルタＦの第２の端子電極１３は、信号電極７３に物理的且つ電気的に接続されている。ノイズフィルタＦの第５の端子電極１５は、信号電極７４に物理的且つ電気的に接続されている。ノイズフィルタＦの第６の端子電極１６は、信号電極７５に物理的且つ電気的に接続されている。ノイズフィルタＦの第７の端子電極１７は、信号電極７７に物理的且つ電気的に接続されている。ノイズフィルタＦの第８の端子電極１８は、信号電極７８に物理的且つ電気的に接続されている。ノイズフィルタＦの第３及び第４の端子電極１３，１４は、接地電極７６に物理的且つ電気的に接続されている。
【００７２】
回路基板７１に実装されたノイズフィルタＦにおいては、各内部電極２７，６１〜６６で構成されたコンデンサＣ１１，Ｃ１２，Ｃ２１，Ｃ２２，Ｃ３１，Ｃ３２、及び、接続導体４１，４３，４５とフェライトを含有した樹脂５１とで構成されたフェライトビーズインダクタＦＢ１〜ＦＢ３が、端子電極１１〜１８を通して回路基板７１に形成された電極７２〜７８に電気的に接続されることとなる。これにより、ノイズフィルタＦは、回路基板７１上においてノイズフィルタとしての機能を発揮する。
【００７３】
以上、本発明の好適な実施形態について説明してきたが、本発明は必ずしも上述した実施形態に限定されるものではなく、その要旨を逸脱しない範囲で様々な変更が可能である。
【図面の簡単な説明】
【００７４】
【図１】本実施形態に係るノイズフィルタの斜視図である。
【図２】本実施形態に係るノイズフィルタに含まれる素体の分解斜視図である。
【図３】本実施形態に係るノイズフィルタの断面構成を説明するための模式図である。
【図４】本実施形態に係るノイズフィルタの等価回路図である。
【図５】本実施形態に係るノイズフィルタの変形例を示す斜視図である。
【図６】本実施形態に係るノイズフィルタの変形例を示す斜視図である。
【図７】図６に示されたノイズフィルタの変形例の断面構成を説明するための模式図である。
【図８】本実施形態に係るノイズフィルタの変形例を示す斜視図である。
【図９】本実施形態に係るノイズフィルタの変形例を示す斜視図である。
【図１０】図９に示されたノイズフィルタの変形例の断面構成を説明するための模式図である。
【図１１】本実施形態に係るノイズフィルタに含まれる素体の変形例を示す分解斜視図である。
【図１２】本実施形態に係るノイズフィルタに含まれる素体の変形例を示す分解斜視図である。
【図１３】本実施形態に係るノイズフィルタに含まれる素体の変形例を示す分解斜視図である。
【図１４】本実施形態に係るノイズフィルタに含まれる素体の変形例を示す分解斜視図である。
【図１５】図１４に示されたノイズフィルタの変形例の等価回路図である。
【図１６】本実施形態に係るノイズフィルタに含まれる素体の変形例を示す分解斜視図である。
【図１７】本実施形態に係るノイズフィルタに含まれる素体の変形例を示す分解斜視図である。
【図１８】本実施形態に係るノイズフィルタの変形例の斜視図である。
【図１９】本実施形態に係るノイズフィルタの変形例に含まれる素体の分解斜視図である。
【図２０】本実施形態に係るノイズフィルタの変形例の断面構成を説明するための模式図である。
【図２１】図１８に示されたノイズフィルタの変形例の等価回路図である。
【図２２】本実施形態に係るノイズフィルタの実装構造を示す平面図である。
【図２３】本実施形態に係るノイズフィルタの実装構造を示す斜視図である。
【図２４】本実施形態に係るノイズフィルタの実装構造を示す斜視図である。
【符号の説明】
【００７５】
１…素体、２…第１の主面、３…第２の主面、４…第１の端面、５…第２の端面、６…第１の側面、７…第２の側面、１１…第１の端子電極、１２…第２の端子電極、１３…第３の端子電極、１４…第４の端子電極、１５…第５の端子電極、１６…第６の端子電極、１７…第７の端子電極、１８…第８の端子電極、２１…絶縁体層、２３，２５…信号側内部電極、２３ａ，２３ｂ，２３ｃ，２５ａ，２５ｂ，２５ｃ…信号用引き出し部、２７…接地側内部電極、２７ａ，２７ｂ…接地側引き出し部、３１，３３，３５，３７…信号側内部電極、３１ａ，３３ａ，３５ａ，３７ａ…信号用引き出し部、４１，４３，４５…接続導体、５１…樹脂、６１〜６６…信号側内部電極、７１…回路基板、７１ａ…実装面、７２〜７５…信号電極、７６…接地電極、Ｃ１，Ｃ２、Ｃ１１，Ｃ１２，Ｃ２１，Ｃ２２，Ｃ３１，Ｃ３２…コンデンサ、Ｆ…ノイズフィルタ、ＦＢ１，ＦＢ２，ＦＢ３…フェライトビーズインダクタ。
【図１】
2007221472.tif 000003
【図２】
2007221472.tif 000004
【図３】
2007221472.tif 000005
【図４】
2007221472.tif 000006
【図５】
2007221472.tif 000007
【図６】
2007221472.tif 000008
【図７】
2007221472.tif 000009
【図８】
2007221472.tif 000010
【図９】
2007221472.tif 000011
【図１０】
2007221472.tif 000012
【図１１】
2007221472.tif 000013
【図１２】
2007221472.tif 000014
【図１３】
2007221472.tif 000015
【図１４】
2007221472.tif 000016
【図１５】
2007221472.tif 000017
【図１６】
2007221472.tif 000018
【図１７】
2007221472.tif 000019
【図１８】
2007221472.tif 000020
【図１９】
2007221472.tif 000021
【図２０】
2007221472.tif 000022
【図２１】
2007221472.tif 000023
【図２２】
2007221472.tif 000024
【図２３】
2007221472.tif 000025
【図２４】
2007221472.tif 000026